(57)【要約】      （修正有）【課題】幼児が興味をもって極めて容易に操作することができ、バッテリーや回路基板やスイッチ等の部品を不要とし、バッテリーの交換を不要とし、丈夫で長持ちのする手動扇風機おもちゃを提供する。【解決手段】回転羽根６がシャフトに対してボス部５１を介して固定されており、グリップ２と操作レバー３を使用者が手で握る動作によって、操作レバーと連結するギヤ列を介して回転羽根を回転させる。操作レバーがグリップの中に収納される。【選択図】図１
0003175152.tif 000002
【実用新案登録請求の範囲】
【請求項１】
グリップと操作レバーを使用者が手で握る動作によって、操作レバーと連結するギヤ列を介して回転羽根を回転させる構成としたことを特徴とする手動扇風機おもちゃ。
【請求項２】
グリップと操作レバーを使用者が手で握る動作によって、ギヤ列を駆動させると共に、操作レバーがグリップの中に収納されるように構成したことを特徴とする請求項１記載の手動扇風機おもちゃ。
【請求項３】
バネの付勢力でグリップの外側に付勢されている操作レバーを使用者が手で握る動作によって、操作レバーの先端にシャフトと共に固定されたギヤが回動し、順次ギヤ列を駆動させ、回転羽根を回転させることができ、又は操作レバーの位置を元に戻した時はギヤ列の一部が離間して操作レバーの付勢力による駆動力が伝達せず、再び握り動作を加えると離間したギヤ列の一部が再度噛合って駆動力が伝達され、ギヤ列の駆動力が反復されるように構成したことを特徴とする請求項１記載の手動扇風機おもちゃ。
【考案の詳細な説明】
【技術分野】
【０００１】  本考案は手動扇風機おもちゃに関し、特に幼児が興味をもって極めて容易に操作することができ、バッテリーや回路基板やスイッチ等の部品を不要とし、バッテリーの交換を不要とし、丈夫で長持ちのする手動扇風機おもちゃに関する。
【背景技術】
【０００２】  一般的に知られているポータブル式の小型扇風機は幼児用おもちゃ等として考案されているが、遊び心のあるポータブル式の小型扇風機おもちゃが大人用としても簡単な景品等として利用されており、事務所の机上や車載用等として使用されている。【０００３】  この種従来のポータブル式の小型扇風機おもちゃは、バッテリーの電力によって駆動されるモーターのシャフトに取付けられた羽根車を回転させて風を移動させる構成のものであり、例えば、実用新案登録第３０７６７０５号公報や実開平５−３３７９９号公報が公開されている。
【先行技術文献】
【特許文献】
【０００４】
【特許文献１】  実用新案登録第３０７６７０５号
【特許文献２】  実開平５−３３７９９号
【考案の概要】
【考案が解決しようとする課題】
【０００５】  前記せる実用新案登録第３０７６７０５号公報は、自動販売機で販売可能なカプセルに収納できる程度の超小型のミニチュア扇風機おもちゃであるが、合成樹脂シートの羽根部とモーター収納頭体と電池を配備する基台をカプセル内から取出して組立てる扇風機おもちゃである。【０００６】  また、前記せる実開平５−３３７９９号公報は、バッテリーによって作動するモーターで回転駆動される羽根を上方に向けて風を吹き出し、浮遊体を飛ばして遊ぶ玩具である。【０００７】  しかしながら、前記せるようなこの種従来のポータブル式の小型扇風機おもちゃは、いずれもバッテリーとモーターと羽根車を有し、作動させるための配線やスイッチを必要とするので部品の数も多く故障しやすく、又はバッテリーの消耗時にはバッテリーの交換をしなければならず、幼児の手に負えなくなるものであった。【０００８】  本考案はこのような事情に鑑みてなされたものであり、特に幼児が興味をもって極めて容易に操作することができ、バッテリーや回路基板やスイッチ等の部品を不要とし、バッテリーの交換を不要とし、丈夫で長持ちのする手動扇風機おもちゃを提供することが本考案の課題である。
【課題を解決するための手段】
【０００９】  このような課題に応えるために本考案に係る手動扇風機おもちゃは、グリップと操作レバーを使用者が手で握る動作によって、操作レバーと連結するギヤ列を介して回転羽根を回転させる構成としたことを特徴とし、グリップと操作レバーを使用者が手で握る動作によって、ギヤ列を駆動させると共に、操作レバーがグリップの中に収納されるように構成したことを特徴とし、且つ、バネの付勢力でグリップの外側に付勢されている操作レバーを使用者が手で握る動作によって、操作レバーの先端にシャフトと共に固定されたギヤが回動し、順次ギヤ列を駆動させ、回転羽根を回転させることができ、又は操作レバーの位置を元に戻した時はギヤ列の一部が離間して操作レバーの付勢力による駆動力が伝達せず、再び握り動作を加えると離間したギヤ列の一部が再度噛合って駆動力が伝達され、ギヤ列の駆動力が反復されるように構成した手動扇風機おもちゃを提供する。
【考案の効果】
【００１０】  以上説明したように本考案に係る手動扇風機おもちゃによれば、従来の扇風機おもちゃのようなバッテリーや回路基板やスイッチ等の部品を不要とし、バッテリーの交換作業を不要とし、極めて容易に操作することができ、丈夫で長持ちする構造であるので、幼児が興味をもって楽しむことができる手動扇風機おもちゃである。
【図面の簡単な説明】
【００１１】
【図１】本考案の手動扇風機おもちゃの正面図である。
【図２】図１の部分分解図である。
【考案を実施するための形態】
【００１２】  以下、図面に示す実施例に基づき本考案の形態を具体的に説明する。
本考案の基本的構成は、図１に示すようにグリップ２と操作レバー３を使用者が手１２で握る動作によって、操作レバー３と連結する図２に示すギヤボックス４内のギヤ列を介して回転羽根６を回転させる構成とした手動扇風機おもちゃである。
【００１３】  グリップ２と後述するギヤボックス４とは枠体１に固定されている。
【００１４】  グリップ２と操作レバー３を使用者が手１２で握る動作によって、ギヤボックス４内のギヤ列を駆動させると共に、操作レバー３はグリップの中に収納されるように構成されている。
【００１５】  図２に示すように操作レバー３はバネ１１の付勢力でグリップ２の外側の矢印ａ方向に付勢されており、グリップ２と操作レバー３を使用者が手１２で握る動作によって、操作レバー３の先端にシャフト８と共に固定されたギヤ８１が回動し、順次ギヤボックス４内のギヤ列を駆動させる。
【００１６】  すなわち、ギヤ８１の回動に伴い、シャフト９に固定されたピニオン９２を回転し、該ピニオン９２と共にシャフト９に固定されたギヤ９１が回転する。
【００１７】  ギヤ９１はピニオン７２を回転させ、該ピニオン７２と共にシャフト７に固定されたギヤ７１が回転する。
【００１８】  ギヤ７１はシャフト５に固定されたピニオン５２を回転させ、その結果、シャフト５に固定されたボス部５１が回転するので、ボス部５１に固定された複数の回転羽根６が回転して送風する。
【００１９】  使用者の握り動作を止めて操作レバー３の位置を元に戻した時は、シャフト９はギヤボックス４に設けた長孔１０内を移動してピニオン７２とギヤ９１とが離間されるので操作レバー３の付勢力による駆動力が伝達しなくなる。
【００２０】  再び使用者が握り動作を加えると、離間したピニオン７２とギヤ９１とが再度噛合って駆動力が伝達され、ギヤボックス４内のギヤ列の駆動力が反復されるように構成されている。
【００２１】  使用者がグリップ２と操作レバー３の握り動作を繰り返す簡単な操作によって回転羽根６を継続して回転させることができる。
【００２２】  また、回転羽根６は柔軟なプラスチックシート又はゴム製のシーのような接触しても安全な材質で搆成されている。
【産業上の利用可能性】
【００２３】  本考案の手動扇風機おもちゃは、以上説明したように構成され、使用者がグリップ２と操作レバー３の握り動作を繰り返す簡単な操作によって回転羽根６を継続して回転させることができるので、幼児が興味をもって極めて容易に操作して遊ぶことができ、安全で長持ちできるおもちゃとして提供できるものである。
【符号の説明】
【００２４】  １．枠体
２．グリップ
３．操作レバー
４．ギヤボックス
５．シャフト
５１．ボス部
５２．ピニオン
６．回転羽根
７．シャフト
７１．ギヤ
７２．ピニオン
８．シャフト
８１．ギヤ
９．シャフト
９１．ギヤ
９２．ピニオン
１０．長孔
１１．バネ
１２．手
【図１】
0003175152.tif 000003
【図２】
0003175152.tif 000004
【手続補正書】
【提出日】平成24年1月31日(2012.1.31)
【手続補正１】
【補正対象書類名】実用新案登録請求の範囲
【補正対象項目名】全文
【補正方法】変更
【補正の内容】
【実用新案登録請求の範囲】
【請求項１】
回転羽根がシャフトに対してボス部を介して固定されており、グリップと操作レバーを使用者が同時に手で握る動作によって、該操作レバーと連結するギャ列を介して回転羽根を回転させるように構成したことを特徴とする手動扇風機おもちゃ。
【請求項２】
グリップと操作レバーを使用者が手で握る動作によって、該操作レバーと連結するギヤ列を駆動させると共に、使用者がグリップと操作レバーの間に指を挟み込まないように、操作レバーがグリップの中に収納されるように構成したことを特徴とする請求項１記載の手動扇風機おもちゃ。
【請求項３】
バネの付勢力でグリップの外側に付勢されている操作レバーを使用者が手で握る動作によって、操作レバーの先端にシャフトと共に固定されたギヤが回動し、順次ギヤ列を駆動させ、ボス部を介してシャフトに固定された回転羽根を回転させることができ、又は操作レバーの位置を元に戻した時はギヤ列の一部が離間して操作レバーの付勢力による駆動力が伝達せず、再び握り動作を加えると離間したギヤ列の一部が再度噛合って駆動力が伝達され、ギヤ列の駆動力が反復されるように構成したことを特徴とする請求項１記載の手動扇風機おもちゃ。